(57)【要約】【課題】良好な通信特性を得ることが可能な時計型無線通信装置を提供する。【解決手段】複数の指針（秒針２、分針３、時針４）と、複数の指針から選択される一本以上の被選択指針をアンテナとして用いる無線通信手段（無線通信部５）と、被選択指針を切り替える切替手段（アンテナ切替部５）を備えている時計型無線通信装置（１）。【選択図】図１
2015038448.tif 000002
【特許請求の範囲】
【請求項１】
複数の指針と、
該複数の指針から選択される一本以上の被選択指針をアンテナとして用いる無線通信手段と、
該被選択指針を切り替える切替手段と、を備えていることを特徴とする時計型無線通信装置。
【請求項２】
上記無線通信手段が上記被選択指針をアンテナとして用いたときの受信感度を検出する検出手段と、
上記切替手段に上記被選択指針を切り替えさせ、夫々の被選択指針について該検出手段が検出した受信感度を比較し、その比較結果に応じて、上記切替手段に上記被選択指針を切り替えさせる感度基礎制御手段と、を備えていることを特徴とする請求項１に記載の時計型無線通信装置。
【請求項３】
上記感度基礎制御手段は、予め定められた時間毎に上記受信感度の比較を行うことを特徴とする請求項２に記載の時計型無線通信装置。
【請求項４】
上記複数の指針の位置に応じて、上記切替手段に上記被選択指針を切り替えさせる位置基礎制御手段を備えていることを特徴とする請求項１〜３の何れか一項に記載の時計型無線通信装置。
【請求項５】
複数の指針を備えた時計型無線通信装置の制御方法であって、
該複数の指針から選択される一本以上の被選択指針をアンテナとして用いる無線通信工程と、
該被選択指針を切り替える切替工程と、を包含することを特徴とする時計型無線通信装置の制御方法。
【発明の詳細な説明】
【技術分野】
【０００１】
本発明は指針をアンテナとして用いる時計型無線通信装置およびその制御方法に関する。
【背景技術】
【０００２】
アナログ時計の針をアンテナとして利用し、電波を受信する技術が開発されている。
【０００３】
例えば、特許文献１には、時計ケース内に収容されている指針と指針軸とからなる指針部材をアンテナとして利用する電波時計が記載されている。
【先行技術文献】
【特許文献】
【０００４】
【特許文献１】特開２００５−２７４３５９号公報（２００５年１０月６日公開）
【発明の概要】
【発明が解決しようとする課題】
【０００５】
しかし、特許文献１に記載の技術では、時間の経過に伴って指針が移動するため、指針の移動に起因してアンテナの受信感度が劣化するおそれがある。
【０００６】
本発明は、上記課題に鑑みてなされたものであり、その主たる目的は、指針をアンテナとして用いる時計型無線通信装置において、良好な通信特性を得るための技術を提供することにある。
【課題を解決するための手段】
【０００７】
上記の課題を解決するために、本発明の一態様に係る時計型無線通信装置は、複数の指針と、該複数の指針から選択される一本以上の被選択指針をアンテナとして用いる無線通信手段と、該被選択指針を切り替える切替手段と、を備えている。
【発明の効果】
【０００８】
本発明の一態様によれば、アンテナとして用いられる指針を適宜切り替えることができるため、良好な通信特性を得ることができる。
【図面の簡単な説明】
【０００９】
【図１】本発明の実施形態１に係る時計型無線通信装置の概略構成を示すブロック図である。
【図２】本発明の実施形態１に係る時計型無線通信装置の要部を示す正面図である。
【図３】本発明の実施形態１に係る時計型無線通信装置における被選択指針の切り替え処理の流れを示すフローチャートである。
【図４】本発明の実施形態２に係る時計型無線通信装置における被選択指針の切り替え処理の流れを示すフローチャートである。
【図５】本発明の実施形態１〜４に係る時計型無線通信装置においてアンテナとして用いられる指針種類を示す表である。
【図６】（ａ）は、時計型無線通信装置１において、何れの指針も互いに重なっていない状態を示す図であり、（ｂ）は、（ａ）から時間が進み、秒針２と分針３とが近付いた状態を示す図であり、（ｃ）は、（ｂ）から時間が進み、再び何れの指針も重なっていない状態を示す図であり、（ｄ）は、（ｃ）から時間が進み、秒針２と時針４とが近付いた状態を示す図である。
【図７】本発明の実施形態３に係る時計型無線通信装置の構成を示すブロック図である。
【発明を実施するための形態】
【００１０】
本発明は、時計型無線通信装置およびその制御方法を提供する。本明細書において、時計型無線通信装置とは、時計の指針を備え、時計の指針をアンテナとして用いて、無線通信を行う装置を指す。本発明に係る時計型無線通信装置が行う無線通信は特に限定されず、例えば、近接する他の機器と通信するための近距離無線（無線ＬＡＮなど）、遠い機器と通信するための遠距離無線（携帯電話通信など）などであり得る。
【００１１】
従来技術に係る時計型無線通信装置では、特定の指針を固定的にアンテナとして用いているため、時刻に応じて時計の指針の位置が変化するに伴い、アンテナの受信感度が劣化するおそれがある。
【００１２】
これに対し、本発明に係る時計型無線通信装置では、アンテナとして用いる指針を切り替えることにより、良好な通信特性を得ることができる。
【００１３】
〔実施形態１〕
以下、本発明の実施形態１について、詳細に説明する。なお、以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１４】
（時計型無線通信装置１の構成）
図１は、本発明の実施形態１に係る時計型無線通信装置１の概略構成を示すブロック図である。時計型無線通信装置１は、図１に示すように、秒針（指針）２、分針（指針）３、時針（指針）４、アンテナ切替部（切替手段）５、無線回路部（無線通信手段）６、受信感度検出部（測定手段）７、切替制御部（感度基礎制御手段、位置基礎制御手段）８、および指針駆動部９を備えている。
【００１５】
秒針２、分針３、および時針４は、時計の指針であり、時刻に応じた位置に動き、現在時刻を表示する。また、秒針２、分針３、および時針４は、これらのうちの一本以上が選択されて、電波を受信するアンテナとして機能するようになっている。
【００１６】
アンテナ切替部５は、秒針２、分針３、および時針４のうち、一本以上の指針（被選択指針）を選択して、無線回路部６に接続するようになっている。また、アンテナ切替部５は、被選択指針を切り替え可能である。
【００１７】
無線回路部６は、時計型無線通信装置１が備えている指針から選択される一本以上の被選択指針をアンテナとして用いて、無線通信を行う。
【００１８】
受信感度検出部７は、上述した被選択指針をアンテナとして用いたときの受信感度（例えば、ＲＳＳＩ）を検出する。
【００１９】
切替制御部８は、アンテナ切替部５が選択すべき指針を決定し、決定した指針を示す信号をアンテナ切替部５に出力し、アンテナとして用いる被選択指針を切り替えさせる。
【００２０】
指針駆動部９は、現在の時刻に基づき、秒針２、分針３、および時針４を駆動させる。
【００２１】
時計型無線通信装置１は、その他、筐体、文字盤、電源部、時刻調整機構等を必要に応じて備えていてもよい。
【００２２】
図２は、本発明の実施形態１に係る時計型無線通信装置１の要部を示す正面図である。図２に示すように、時計型無線通信装置１の要部は、アナログ時計と同様、文字盤上を、秒針２、分針３、および時針４が中心を軸に回り、位置によって時刻を示している。なお、時計型無線通信装置１の時計の種類（例えば、腕時計、置時計など）については限定されず、指針を有している時計であればよい。
【００２３】
（アンテナを選択する処理）
図３は、本発明の実施形態１に係る時計型無線通信装置１における被選択指針の切り替え処理の流れを示すフローチャートである。上述したように、時計型無線通信装置１は、受信感度が良好な指針をアンテナとして用いる。ここでは、秒針２、分針３、および時針４をモノポールアンテナとして使用する場合に、被選択指針を切り替える処理について、図３を用いて説明する。
【００２４】
まず、無線回路部６は、被選択指針をアンテナとして用いて無線信号を受信する。受信感度検出部７は、当該無線信号の受信時における受信感度を検出し、切替制御部８に出力する（ステップＳ１）。
【００２５】
切替制御部８は、全ての指針について、受信感度を検出したか否かを判定する（ステップＳ２）。ステップＳ２において、「全ての指針について受信感度を検出していない」と判定した場合（ステップＳ２：ＮＯ）、切替制御部８は、まだ受信感度を検出していない指針を示す信号をアンテナ切替部５に出力する。アンテナ切替部５は、取得した信号が示す指針を選択し、アンテナとする指針（被選択指針）を切り替え（ステップＳ５）、ステップＳ１に戻って切り替え後の被選択指針についての受信感度を検出する。
【００２６】
一方、ステップＳ２において、「全ての指針について受信感度を検出した」と判定した場合（ステップＳ２：ＹＥＳ）、切替制御部８は、夫々の指針についての受信感度を比較し、最も受信感度が良好となる指針を決定し（ステップＳ３）、決定した指針を示す信号をアンテナ切替部５に出力する。アンテナ切替部５は、被選択指針を、取得した信号が示す指針に切り替える（ステップＳ４）。
【００２７】
このように、秒針２、分針３、および時針４をモノポールアンテナとして使用した場合、時計型無線通信装置１は、指向性の異なるそれぞれの指針が受信する信号の受信感度を検出し、受信感度を比較して、その比較結果に応じてアンテナとして用いる指針を選択して切り替えることにより、良好な通信特性を得ることができる。
【００２８】
なお、時計型無線通信装置１が指針を選択する処理を開始するタイミングについては、例えば以下のような場合が考えられる：定期的、時間毎（例えば、毎秒、毎分など）；指針の位置に応じて（予め定められた時間）；および、信号の強度が閾値を下回った場合。
【００２９】
上記のような場合に、各指針（各指針の組み合わせ）の受信感度を比較して、他の指針（指針の組み合わせ）の受信感度が良い場合には、指針を切り替える処理を開始する。
【００３０】
なお、各指針についての受信感度の検出は、必ずしもアンテナを選択する処理毎に都度行う必要はない。例えば、時針４についての受信感度を一度検出した後、所定時間経過するまでは、ステップＳ２において、時針４については受信感度を検出済みであると判断して、受信感度として前回検出した値を用いてもよい。一方、秒針２については、例えば、毎回受信感度を検出することが好ましい。
【００３１】
（変形例）
なお、アンテナとして用いる指針は、秒針２、分針３、および時針４の全てから選択される必要はなく、少なくとも二本の指針から選択されるようになっていればよい。例えば、時計型無線通信装置１においては、秒針と分針、秒針と時針、分針と時針、または秒針と分針と時針の組み合わせから、アンテナとして用いる被選択指針が選択されてもよい。
【００３２】
また、選択する指針は一本に限られない。例えば、秒針と分針とを選択し、秒針を近距離無線用、分針を遠距離無線用とするなど、それぞれの指針を別々の用途および周波数におけるアンテナとして適宜切り替えて使用してもよい。
【００３３】
また、時計型無線通信装置１が備える指針の数も、上述した三本に限定されず、二本以上であればよい。例えば、分針および時針のみの時計、クロノグラフ等の多針の時計等に無線通信機能を付与したものも本発明の範疇である。
【００３４】
また、指針は、時刻を示すものに限定されず、ストップウォッチ用の針、方位磁針、日付を示す針、温度を示す針、湿度を示す針、および気圧を示す針などであってもよい。
【００３５】
〔実施形態２〕
上述した実施形態１では、秒針２、分針３、および時針４をモノポールアンテナとして使用して無線通信を行う構成について説明したが、次に、実施形態２として、二本の指針を選択し、選択した指針をダイポールアンテナとして使用して無線通信を行う構成について説明する。
【００３６】
図４は、本発明の実施形態２に係る時計型無線通信装置１における被選択指針の切り替え処理の流れを示すフローチャートである。選択した指針をダイポールアンテナとして使用する場合に、被選択指針を切り替える処理について、図４を用いて説明する。
【００３７】
まず、無線回路部６は、被選択指針をアンテナとして用いて無線信号を受信する。受信感度検出部７は、当該無線信号の受信時における受信感度を検出し、切替制御部８に出力する（ステップＳ１１）。
【００３８】
切替制御部８は、全ての指針の組み合わせについて、受信感度を検出したか否かを判定する（ステップＳ１２）。ステップＳ１２において、「全ての指針の組み合わせについて受信感度を検出していない」と判定した場合（ステップＳ１２：ＮＯ）、切替制御部８は、まだ受信感度を検出していない指針の組み合わせを示す信号をアンテナ切替部５に出力する。アンテナ切替部５は、取得した信号が示す指針の組み合わせを選択し、アンテナとする指針（被選択指針）を切り替え（ステップＳ１５）、ステップＳ１１に戻って切り替え後の被選択指針についての受信感度を検出する。
【００３９】
一方、ステップＳ１２において、「全ての指針の組み合わせについて受信感度を検出した」と判定した場合（ステップＳ２：ＹＥＳ）、切替制御部８は、夫々の指針の組み合わせについての受信感度を比較し、最も受信感度が良好となる指針の組み合わせを決定し（ステップＳ１３）、決定した指針の組み合わせを示す信号をアンテナ切替部５に出力する。アンテナ切替部５は、被選択指針を、取得した信号が示す指針の組み合わせに切り替える（ステップＳ１４）。
【００４０】
このように、秒針２、分針３、および時針４のうち二本の指針を選択してダイポールアンテナとして使用した場合においても、モノポールアンテナとして使用した場合と同様、時計型無線通信装置１は、最も受信感度の良い指針の組み合わせをアンテナとして選択して切り替えることにより、良好な通信特性を得ることができる。
【００４１】
また、ダイポールアンテナとして動作させることにより、一本の指針を使った場合よりも利得向上が見込めるため、より良好なアンテナ特性を得ることができる。
【００４２】
なお、図５は、本発明の実施形態１〜４に係る時計型無線通信装置１においてアンテナとして用いられる指針種類を示す表である。図５に示すように、ダイポールアンテナの場合、指針の組み合わせとしては、秒針２と分針３との組み合わせ、秒針２と時針４との組み合わせ、および分針３と時針４との組み合わせの３通りが挙げられる。
【００４３】
そのうち、秒針２と分針３との組み合わせ、または、秒針２と時針４との組み合わせから構成されるアンテナでは、秒針２が１秒ごとに動くため、短い時間でダイポールアンテナの形状が変わる。ゆえに、秒針２と分針３との組み合わせ、および、秒針２と時針４との組み合わせについては、短い時間間隔で受信感度を検出することが好ましい。一方、分針３と時針４との組み合わせについては、形状変化が遅いため、一度受信感度を検出した後は、所定期間の間、受信感度として前回検出した値を用いてもよい。
【００４４】
〔実施形態３〕
上述した実施形態２では、秒針２、分針３、および時針４のうち二本の指針を選択してダイポールアンテナとして使用して無線通信を行う構成について説明したが、次に、実施形態３として、選択した二本の指針をダイバーシチアンテナとして使用して無線通信を行う構成について説明する。
【００４５】
秒針２、分針３、および時針４のうち二本の指針を選択してダイバーシチアンテナとして使用した場合においても、二本の指針の組み合わせの各々について受信感度を検出し、最も受信感度が良好となる組み合わせの指針を選択することにより、良好な通信特性を得ることができる。また、一本の指針を使った場合よりも利得向上が見込めるため、より良好なアンテナ特性を得ることができる。
【００４６】
〔実施形態４〕
上述した実施形態１、実施形態２、および実施形態３では、アンテナの種類は固定して指針を選択する構成について説明したが、次に、実施形態４として、さらにアンテナの種類を切り替える構成について説明する。
【００４７】
例えば、モノポールアンテナとして秒針２、分針３、および時針４のそれぞれを被選択指針として受信感度を検出した後、ダイポールアンテナとして、秒針２と分針３、秒針２と時針４、および分針３と時針４のそれぞれの組み合わせを被選択指針として受信感度を検出する。さらに、ダイバーシチアンテナとして、秒針２と分針３、秒針２と時針４、および分針３と時針４のそれぞれの組み合わせを被選択指針として受信感度を検出する。そして、検出した全ての受信感度を比較し、受信感度の良好なアンテナの種類および指針（または指針の組み合わせ）を決定する。このように、時計型無線通信装置１は、使用目的に応じてモノポールアンテナ、ダイポールアンテナ、およびダイバーシチアンテナの間で適宜切り替えるように構成してもよい。
【００４８】
〔実施形態５〕
時計型無線通信装置１において、二本以上の指針を選択してアンテナとして使用して無線通信を行う場合、選択した二本以上の指針（被選択指針）が近付き重なると、利得改善効果が見込めなくなる場合がある。その場合に適切にアンテナとする指針を選択する構成の一例について、実施形態５として以下に説明する。
【００４９】
本発明の実施形態５について、図６に基づいて説明すれば、以下のとおりである。実施形態５では、時計型無線通信装置１は、実施形態２と同様、二本の指針を選択し、選択した指針をダイポールアンテナとして使用して無線通信を行う構成である。
【００５０】
図６の（ａ）は、時計型無線通信装置１において、何れの指針も互いに重なっていない状態を示す図であり、（ｂ）は、（ａ）から時間が進み、秒針２と分針３とが近付いた状態を示す図であり、（ｃ）は、（ｂ）から時間が進み、再び何れの指針も重なっていない状態を示す図であり、（ｄ）は、（ｃ）から時間が進み、秒針２と時針４とが近付いた状態を示す図である。
【００５１】
図６の（ａ）の状態において、秒針２と分針３とをダイポールアンテナとして選択しているものとする（秒針２および分針３が被選択指針）。この状態では、秒針２と分針３とが離れているため、利得改善効果が見込める。
【００５２】
この状態から、秒針２は、１秒ごとにその位置を変え、分針３に近付いていく。結果、図６の（ｂ）に示すように、秒針２と分針３とが近付いた状態となる。この状態では、利得改善効果が見込めなくなる。
【００５３】
このとき、切替制御部８は、アンテナ切替部５に、選択している二本の指針のうち一方を切り替えさせる。例えば、分針３の替わりに時針４が被選択指針となるようにアンテナ切替部５に切り替えさせる。これにより、アンテナとして用いる指針（秒針２および時針４）が互いに離れるため、利得改善効果が見込める。
【００５４】
なお、指針の切替について、最初に選択されている秒針２および分針３のうち、文字盤に近い分針３の方を切り替え、文字盤から遠い秒針２についてはそのまま選択し続けることが好ましい。これにより、少しでも時計型無線通信装置１の外側（時計型無線通信装置１の内部構成から離れている側）にアンテナを配置することができるので、より良好な通信特性を得ることができる。
【００５５】
続いて、図６（ｃ）に示すように秒針２が進み、図６（ｄ）に示すように、秒針２と時針４とが近付くと再度利得改善効果が見込めなくなる。この状態において、上述した一回目の切替処理と同様に、切替制御部８は、選択している二本の指針のうち一方を切り替えさせる。例えば、時針４の替わりに分針３が被選択指針となるようにアンテナ切替部５に切り替えさせる。これにより、アンテナとして用いる指針（秒針２および分針３）が互いに離れているため、利得改善効果が見込める。なお、上述した一回目の切替処理と同様に、選択されている秒針２および時針４のうち、文字盤に近い時針４の方を切り替え、文字盤から遠い秒針２を選択し続けると、少しでも時計型無線通信装置１の外側（時計型無線通信装置１の内部構成から離れている側）にアンテナを配置することができるので、より良好な通信特性を得ることができる。
【００５６】
以上のように、選択した二本以上の指針が近付いて重なり、利得改善効果が見込めなくなる場合、指針の選択を切り替えることにより、良好な通信特性を得ることができる。さらに、指針の選択は、文字盤から遠い指針（例えば、秒針２）を選択し続けることにより、より良い通信特性を得ることができる。
【００５７】
なお、指針の選択を切り替えるタイミングは、被選択指針同士が重なる前または重なったときに行えばよく、特に限定されない。例えば、本実施形態のように、各指針の位置が時刻に応じて位置が決まっている場合には、選択している指針が重なり得る時刻を容易に把握することができるため、被選択指針同士が重なることがないように、被選択指針同士が重なる前に被選択指針を切り替えることが好ましい。
【００５８】
また、選択した二本以上の指針が近付いて重なるときに、指針の選択を切り替える構成は、被選択指針をダイポールアンテナとして用いる構成に限定されず、二本以上の指針を選択して使用する構成（例えば、ダイバーシチアンテナとして用いる構成を含む）について適用することができる。
【００５９】
〔実施形態６〕
時計型無線通信装置１において、三本の指針のうち二本の指針を選択する場合に、実施形態５では、選択した二本の指針が重なったときに一方の指針を切り替える構成について説明したが、三本の指針全てが重なっている場合は、一方の指針を切り替えても、利得改善効果は見込めない。その場合に適切にアンテナとする指針を選択する構成の一例について、実施形態６として以下に説明する。
【００６０】
本発明の実施形態６について、図７に基づいて説明すれば、以下のとおりである。実施形態６では、時計型無線通信装置１は、実施形態２と同様、二本の指針を選択し、選択した指針をダイポールアンテナとして使用して無線通信を行う構成である。
【００６１】
図７は、本発明の実施形態６に係る時計型無線通信装置１の構成を示すブロック図である。図７に示す実施形態６に係る時計型無線通信装置１は、実施形態１に係る時計型無線通信装置１（図１）に加えて、インピーダンス調整部１０（調整手段）を備えている。インピーダンス調整部１０は、切替制御部８から取得した信号に基づいて、秒針２、分針３、および時針４のインピーダンスをそれぞれ独立に調整する。また、切替制御部８は、指針駆動部９から、各指針の位置を取得するようになっている。
【００６２】
ここで、時刻が例えば１２時ちょうどの場合、秒針２、分針３、および時針４の三本の指針が重なっているため、二本以上の指針の組み合わせはどれを選択しても、利得改善効果が見込めない。
【００６３】
このとき、切替制御部８は、各指針の位置がこのような状態に近づいたとき、例えば、文字盤から最も遠い指針である秒針２のみが被選択指針となり、他の指針は被選択指針とならないようにアンテナ切替部５に被選択指針を切り替えさせる。このとき、他の指針は、被選択指針に異なる重畳指針となる。また、切替制御部８は、この重畳指針（分針３および時針４）の電気長を被選択指針（秒針２）より長くするように、インピーダンス調整部１０に分針３および時針４のインピーダンスを調整させる。なお、このとき無線回路部６は、秒針２をモノポールアンテナとして用いて無線通信を行うことになる。
【００６４】
これにより、重畳指針（分針３および時針４）を反射器として機能させ、秒針２のアンテナから放射した電磁波を分針３および時針４に対して反対側（時計型無線通信装置１の外側）に放射させるように、指向性を制御することができる。このように、三本の指針全てが重なった場合、最も外側（時計型無線通信装置１の外側）に位置する秒針２を被選択指針とし、分針３および時針４を反射器にすることにより、アンテナ利得の向上が見込めるため、良好な通信特性を得ることができる。
【００６５】
なお、本実施形態のように、秒針２のみを選択する場合には、インピーダンス調整部１０は、分針３および時針４のみのインピーダンスを調整するように構成してもよい。
【００６６】
また、本実施形態のように全ての指針が重なる状態でなくとも、被選択指針とは異なる指針が被選択指針に重なるときに、当該指針（重畳指針）が反射器となるようにインピーダンスを調整することにより、良好な通信特性を得ることができる。
【００６７】
〔まとめ〕
本発明の態様１に係る時計型無線通信装置１は、複数の指針（秒針２、分針３、時針４）と、該複数の指針から選択される一本以上の被選択指針をアンテナとして用いる無線通信手段（無線回路部５）と、該被選択指針を切り替える切替手段（アンテナ切替部５）と、を備えている。
【００６８】
上記の構成によれば、アンテナとして用いる指針を適宜切り替えることができるため、指針の移動に起因する受信感度の劣化を抑制することができる。
【００６９】
本発明の態様２に係る時計型無線通信装置１は、上記態様１において、上記無線通信手段（無線回路部５）が上記被選択指針をアンテナとして用いたときの受信感度を検出する検出手段（受信感度検出部７）と、上記切替手段（アンテナ切替部５）に上記被選択指針を切り替えさせ、夫々の被選択指針について該検出手段（受信感度検出部７）が検出した受信感度を比較し、その比較結果に応じて、上記切替手段（アンテナ切替部５）に上記被選択指針を切り替えさせる感度基礎制御手段（切替制御部８）と、を備えていてもよい。
【００７０】
上記の構成によれば、アンテナとして用いる被選択指針を切り替え、夫々の被選択指針を用いたときの受信感度を検出することができる。そして、検出した受信感度を比較し、比較結果に応じてアンテナとして用いる被選択指針を切り替えることができる。これにより、受信感度の良好な被選択指針をアンテナとして用いることができるので、良好な通信特性を得ることができる。
【００７１】
本発明の態様３に係る時計型無線通信装置１は、上記態様２において、上記感度基礎制御手段（切替制御部８）は、予め定められた時間毎に上記受信感度の比較を行うものであってもよい。
【００７２】
上記の構成によれば、予め定められた時間毎に受信感度を比較して被選択指針を切り替えることができるため、継続して良好な通信特性を得ることができる。
【００７３】
本発明の態様４に係る時計型無線通信装置１は、上記態様１〜３において、上記複数の指針（秒針２、分針３、時針４）の位置に応じて、上記切替手段（アンテナ切替部５）に上記被選択指針を切り替えさせる位置基礎制御手段（切替制御部８）を備えていてもよい。
【００７４】
アンテナとして用いる指針が特定の位置（例えば、アンテナとして用いる指針同士が重なる位置など）にあるとき、受信感度が劣化する場合があるため、上記の構成によれば、指針の位置に応じてアンテナとして用いる指針（被選択指針）を切り替えることにより、受信感度の劣化を抑制して、良好な通信特性を得ることができる。
【００７５】
本発明の態様５に係る時計型無線通信装置１は、上記態様４において、上記位置基礎制御手段（切替制御部８）は、上記被選択指針同士が互いに重ならないように、上記切替手段（アンテナ切替部５）に上記被選択指針を切り替えさせるものであってもよい。
【００７６】
上記の構成によれば、アンテナとして用いられる指針（被選択指針）同士が互いに重ならないように、アンテナとして用いる指針を切り替えることができる。これにより、アンテナとして用いる指針が重なり、利得改善効果が見込めなくなる構成を回避することができる。
【００７７】
本発明の態様６に係る時計型無線通信装置１は、上記態様５において、上記複数の指針のうち少なくとも一部の指針のインピーダンスを調整する調整手段（インピーダンス調整部１０）を備えており、上記位置基礎制御手段（切替制御部８）は、上記被選択指針に当該被選択指針とは異なる重畳指針が重なるときに、当該重畳指針が反射器となるように、当該重畳指針のインピーダンスを該調整手段（インピーダンス調整部１０）に調整させるものであってもよい。
【００７８】
上記の構成によれば、アンテナとして用いる指針（被選択指針）に重なる指針（重畳指針）を反射器とすることができる。これにより、アンテナとして用いる指針に他の指針が重なった場合においても、利得改善効果が見込め、良好な通信特性を得ることができる。
【００７９】
本発明の態様７に係る時計型無線通信装置１は、上記態様１〜６において、上記被選択指針は一本の指針であり、上記無線通信手段（無線回路部５）は、当該被選択指針をモノポールアンテナとして用いるものであってもよい。
【００８０】
上記の構成によれば、一本の指針をモノポールアンテナとして用いることができる。これにより、モノポールアンテナを有した時計型無線通信装置が容易に実現できる。
【００８１】
本発明の態様８に係る時計型無線通信装置１は、上記態様１〜６において、上記被選択指針は二本の指針であり、上記無線通信手段（無線回路部５）は、当該被選択指針をダイポールアンテナとして用いるものであってもよい。
【００８２】
上記の構成によれば、二本の指針をダイポールアンテナとして用いることができる。これにより、ダイポールアンテナを有した時計型無線通信装置が容易に実現できる。
【００８３】
本発明の態様９に係る時計型無線通信装置１は、上記態様１〜６において、上記被選択指針は二本以上の指針であり、上記無線通信手段（無線回路部５）は、当該被選択指針をダイバーシチアンテナとして用いるものであってもよい。
【００８４】
上記の構成によれば、二本以上の指針をダイバーシチアンテナとして用いることができる。これにより、ダイバーシチアンテナを有した時計型無線通信装置が容易に実現できる。
【００８５】
本発明の態様１０に係る時計型無線通信装置１は、上記態様１〜６において、上記無線通信手段（無線回路部５）は、上記被選択指針を、モノポールアンテナ、ダイポールアンテナおよびダイバーシチアンテナの何れかに切り替え可能であってもよい。
【００８６】
上記の構成によれば、モノポールアンテナ、ダイポールアンテナおよびダイバーシチアンテナの間で切り替えることができる。これにより、状況に応じてアンテナの種類を切り替えることができるため、より良好なアンテナ特性を得ることができる。
【００８７】
本発明の態様１１に係る時計型無線通信装置の制御方法は、複数の指針（秒針２、分針３、時針４）を備えた時計型無線通信装置１の制御方法であって、該複数の指針（秒針２、分針３、時針４）から選択される一本以上の被選択指針をアンテナとして用いる無線通信工程と、該被選択指針を切り替える切替工程と、を包含する。
【００８８】
上記の構成によれば、上記態様１と同等の効果を奏する。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９０】
本発明は、指針をアンテナとして用いる時計型無線通信装置一般に利用することができる。
【符号の説明】
【００９１】
１  時計型無線通信装置
２  秒針（指針）
３  分針（指針）
４  時針（指針）
５  アンテナ切替部（切替手段）
６  無線回路部（無線通信手段）
７  受信感度検出部（検出手段）
８  切替制御部（感度基礎制御手段、位置基礎制御手段）
９  指針駆動部
１０  インピーダンス調整部（調整手段）
【図１】
2015038448.tif 000003
【図２】
2015038448.tif 000004
【図３】
2015038448.tif 000005
【図４】
2015038448.tif 000006
【図５】
2015038448.tif 000007
【図６】
2015038448.tif 000008
【図７】
2015038448.tif 000009